(57)【要約】【課題】庫内温度が冷却開始温度まで上昇すると冷却機の運転を開始し、庫内温度が冷却抑制温度まで低下すると冷却機の運転を抑制する冷却装置において、周囲の温度を検出する外気温度センサを備えることなく庫内平均温度と庫内設定温度との乖離を小さくすること。【解決手段】庫内を冷却する冷却機と、庫内温度を検出する庫内温度センサと、制御部と、を備え、制御部は、庫内温度センサによって検出された庫内温度を監視して、庫内温度が冷却開始温度まで上昇すると冷却機の運転を開始し、庫内温度が冷却開始温度より低い冷却抑制温度まで低下すると冷却機の運転を抑制する制御処理と、冷却機の運転率に基づいて冷却開始温度及び冷却抑制温度の少なくとも一方を変更する変更処理と、を実行する、冷却装置。【選択図】図５
2015218965.tif 000002
【特許請求の範囲】
【請求項１】
庫内を冷却する冷却機と、
庫内温度を検出する庫内温度センサと、
制御部と、
を備え、
前記制御部は、
前記庫内温度センサによって検出された庫内温度を監視して、庫内温度が冷却開始温度まで上昇すると前記冷却機の運転を開始し、庫内温度が前記冷却開始温度より低い冷却抑制温度まで低下すると前記冷却機の運転を抑制する制御処理と、
前記冷却機の運転率に基づいて前記冷却開始温度及び前記冷却抑制温度の少なくとも一方を変更する変更処理と、
を実行する、冷却装置。
【請求項２】
請求項１に記載の冷却装置であって、
前記制御部は、前記変更処理において、前記冷却機の運転率が基準運転率以上になると前記冷却抑制温度を高くする、冷却装置。
【請求項３】
庫内を冷却する冷却機と、
庫内温度を検出する庫内温度センサと、
制御部と、
を備え、
前記制御部は、
前記庫内温度センサによって検出された庫内温度を監視して、庫内温度が冷却開始温度まで上昇すると前記冷却機の運転を開始し、庫内温度が前記冷却開始温度より低い冷却抑制温度まで低下すると前記冷却機の運転を抑制する制御処理と、
前記庫内温度センサによって検出された庫内温度の平均値と庫内設定温度との差に基づいて前記冷却開始温度及び前記冷却抑制温度の少なくとも一方を変更する変更処理と、
を実行する、冷却装置。
【請求項４】
請求項３に記載の冷却装置であって、
前記制御部は、前記変更処理において、前記庫内温度センサによって検出された庫内温度の平均値が前記庫内設定温度に対して基準値以上低くなると前記冷却抑制温度を高くする、冷却装置。
【請求項５】
庫内を冷却する冷却機と、
庫内温度を検出する庫内温度センサと、
制御部と、
を備え、
前記制御部は、
前記庫内温度センサによって検出された庫内温度を監視して、庫内温度が冷却開始温度まで上昇すると前記冷却機の運転を開始し、庫内温度が前記冷却開始温度より低い冷却抑制温度まで低下すると前記冷却機の運転を抑制する制御処理と、
前記冷却機の運転率の変化幅、及び、前記庫内温度センサによって検出された庫内温度の平均値と庫内設定温度との差に基づいて、前記冷却開始温度及び前記冷却抑制温度の少なくとも一方を変更する変更処理と、
を実行する、冷却装置。
【請求項６】
請求項５に記載の冷却装置であって、
前記制御部は、前記変更処理において、前記冷却機の運転率の変化幅が第１の基準値以上であり、且つ、前記庫内温度センサによって検出された庫内温度の平均値が前記庫内設定温度に対して第２の基準値以上低い場合に前記冷却抑制温度を高くする、冷却装置。
【請求項７】
請求項１乃至請求項６のいずれか一項に記載の冷却装置であって、
前記制御部は、前記変更処理において、変更後の前記冷却開始温度又は変更後の前記冷却抑制温度を、前記庫内温度センサによって検出された庫内温度の平均値と前記庫内設定温度との差に基づいて決定する、冷却装置。
【請求項８】
庫内を加熱する加熱機と、
庫内温度を検出する庫内温度センサと、
制御部と、
を備え、
前記制御部は、
前記庫内温度センサによって検出された庫内温度を監視して、庫内温度が加熱開始温度まで低下すると前記加熱機の運転を開始し、庫内温度が前記加熱開始温度より高い加熱抑制温度まで上昇すると前記加熱機の運転を抑制する制御処理と、
前記加熱機の運転率に基づいて前記加熱開始温度及び前記加熱抑制温度の少なくとも一方を変更する変更処理と、
を実行する、加熱装置。
【請求項９】
庫内を加熱する加熱機と、
庫内温度を検出する庫内温度センサと、
制御部と、
を備え、
前記制御部は、
前記庫内温度センサによって検出された庫内温度を監視して、庫内温度が加熱開始温度まで低下すると前記加熱機の運転を開始し、庫内温度が前記加熱開始温度より高い加熱抑制温度まで上昇すると前記加熱機の運転を抑制する制御処理と、
前記庫内温度センサによって検出された庫内温度の平均値と庫内設定温度との差に基づいて前記加熱開始温度及び前記加熱抑制温度の少なくとも一方を変更する変更処理と、
を実行する、加熱装置。
【請求項１０】
庫内を加熱する加熱機と、
庫内温度を検出する庫内温度センサと、
制御部と、
を備え、
前記制御部は、
前記庫内温度センサによって検出された庫内温度を監視して、庫内温度が加熱開始温度まで低下すると前記加熱機の運転を開始し、庫内温度が前記加熱開始温度より高い加熱抑制温度まで上昇すると前記加熱機の運転を抑制する制御処理と、
前記加熱機の運転率の変化幅、及び、前記庫内温度センサによって検出された庫内温度の平均値と庫内設定温度との差に基づいて、前記加熱開始温度及び前記加熱抑制温度の少なくとも一方を変更する変更処理と、
を実行する、加熱装置。
【発明の詳細な説明】
【技術分野】
【０００１】
庫内を冷却又は加熱する技術に関する。
【背景技術】
【０００２】
従来、庫内の温度を検出する温度センサによって検出される温度が冷却開始温度まで上昇すると冷却機の運転を開始し、冷却停止温度まで低下すると冷却機を停止させるオープンショーケースの庫内温度制御装置が知られている。そして、このような庫内温度制御装置において、外気温度の影響が少なく適正な庫内温度を維持するために、外気温度センサによって検出された外気温度と標準外気温度とが一致しないときは冷却開始温度及び冷却停止温度を補正する技術が知られている（例えば、特許文献１参照）。
【先行技術文献】
【特許文献】
【０００３】
【特許文献１】特開平０６−１８０１７４号公報
【発明の概要】
【発明が解決しようとする課題】
【０００４】
しかしながら、上述した従来の技術によると、庫内の温度を検出する温度センサとは別に外気温度センサを備える必要があるため装置の構成が複雑になるという問題がある。
【０００５】
本明細書では、庫内温度が冷却開始温度まで上昇すると冷却機の運転を開始し、庫内温度が冷却抑制温度まで低下すると冷却機の運転を抑制する冷却装置において、周囲の温度を検出する外気温度センサを備えることなく庫内平均温度と庫内設定温度との乖離を小さくする技術を開示する。
【０００６】
また、本明細書では、庫内温度が加熱開始温度まで低下すると加熱機の運転を開始し、庫内温度が加熱抑制温度まで上昇すると加熱機の運転を抑制する加熱装置において、周囲の温度を検出する外気温度センサを備えることなく庫内平均温度と庫内設定温度との乖離を小さくする技術を開示する。
【課題を解決するための手段】
【０００７】
本明細書によって開示される冷却装置は、庫内を冷却する冷却機と、庫内温度を検出する庫内温度センサと、制御部と、を備え、前記制御部は、前記庫内温度センサによって検出された庫内温度を監視して、庫内温度が冷却開始温度まで上昇すると前記冷却機の運転を開始し、庫内温度が前記冷却開始温度より低い冷却抑制温度まで低下すると前記冷却機の運転を抑制する制御処理と、前記冷却機の運転率に基づいて前記冷却開始温度及び前記冷却抑制温度の少なくとも一方を変更する変更処理と、を実行する。
【０００８】
冷却装置の周囲の温度が高いと庫内温度が下がり難いため冷却機の運転率が高くなる。逆に、冷却装置の周囲の温度が低いと庫内温度が下がり易いため冷却機の運転率が低くなる。このように冷却機の運転率は冷却装置の周囲の温度と相関がある。上記冷却装置によると、冷却機の運転率に基づいて冷却開始温度及び冷却抑制温度の少なくとも一方を変更するので、冷却装置の周囲の温度を検出する外気温度センサを備えることなく庫内平均温度と庫内設定温度との乖離を小さくすることができる。
【０００９】
また、前記制御部は、前記変更処理において、前記冷却機の運転率が基準運転率以上になると前記冷却抑制温度を高くしてもよい。
【００１０】
上記冷却装置によると、冷却機の運転率が基準運転率以上になると冷却抑制温度を高くするので、周囲の温度を検出する外気温度センサを備えることなく庫内平均温度と庫内設定温度との乖離を小さくすることができる。
【００１１】
また、本明細書によって開示される冷却装置は、庫内を冷却する冷却機と、庫内温度を検出する庫内温度センサと、制御部と、を備え、前記制御部は、前記庫内温度センサによって検出された庫内温度を監視して、庫内温度が冷却開始温度まで上昇すると前記冷却機の運転を開始し、庫内温度が前記冷却開始温度より低い冷却抑制温度まで低下すると前記冷却機の運転を抑制する制御処理と、前記庫内温度センサによって検出された庫内温度の平均値と庫内設定温度との差に基づいて前記冷却開始温度及び前記冷却抑制温度の少なくとも一方を変更する変更処理と、を実行する。
【００１２】
上記冷却装置によると、庫内温度の平均値と庫内設定温度との差に基づいて冷却開始温度及び冷却抑制温度の少なくとも一方を変更するので、周囲の温度を検出する外気温度センサを備えることなく庫内平均温度と庫内設定温度との乖離を小さくすることができる。
【００１３】
また、前記制御部は、前記変更処理において、前記庫内温度センサによって検出された庫内温度の平均値が前記庫内設定温度に対して基準値以上低くなると前記冷却抑制温度を高くしてもよい。
【００１４】
上記冷却装置によると、庫内温度センサによって検出された庫内温度の平均値が庫内設定温度に対して基準値以上低くなると冷却抑制温度を高くするので、周囲の温度を検出する外気温度センサを備えることなく庫内平均温度と庫内設定温度との乖離を小さくすることができる。
【００１５】
また、本明細書によって開示される冷却装置は、庫内を冷却する冷却機と、庫内温度を検出する庫内温度センサと、制御部と、を備え、前記制御部は、前記庫内温度センサによって検出された庫内温度を監視して、庫内温度が冷却開始温度まで上昇すると前記冷却機の運転を開始し、庫内温度が前記冷却開始温度より低い冷却抑制温度まで低下すると前記冷却機の運転を抑制する制御処理と、前記冷却機の運転率の変化幅、及び、前記庫内温度センサによって検出された庫内温度の平均値と庫内設定温度との差に基づいて、前記冷却開始温度及び前記冷却抑制温度の少なくとも一方を変更する変更処理と、を実行する。
【００１６】
上記冷却装置によると、冷却機の運転率の変化幅、及び、庫内温度センサによって検出された庫内温度の平均値と庫内設定温度との差に基づいて、冷却開始温度及び冷却抑制温度の少なくとも一方を変更するので、冷却機の不安定な動作を抑制しつつ、冷却開始温度又は冷却抑制温度を変更するか否かを精度よく判断できる。
【００１７】
また、前記制御部は、前記変更処理において、前記冷却機の運転率の変化幅が第１の基準値以上であり、且つ、前記庫内温度センサによって検出された庫内温度の平均値が前記庫内設定温度に対して第２の基準値以上低い場合に前記冷却抑制温度を高くしてもよい。
【００１８】
上記冷却装置によると、冷却機の運転率の変化幅が第１の基準値以上であり、且つ、庫内温度センサによって検出された庫内温度の平均値が庫内設定温度に対して第２の基準値以上低い場合に冷却抑制温度を高くするので、冷却機の不安定な動作を抑制しつつ、冷却抑制温度を変更するか否かを精度よく判断できる。
【００１９】
また、前記制御部は、前記変更処理において、変更後の前記冷却開始温度又は変更後の前記冷却抑制温度を、前記庫内温度センサによって検出された庫内温度の平均値と前記庫内設定温度との差に基づいて決定してもよい。
【００２０】
上記冷却装置によると、変更後の冷却抑制温度や冷却開始温度が固定で決定されている場合に比べ、庫内温度の平均値と庫内設定温度との差を小さくすることができる可能性が高くなる。
【００２１】
また、本明細書によって開示される加熱装置は、庫内を加熱する加熱機と、庫内温度を検出する庫内温度センサと、制御部と、を備え、前記制御部は、前記庫内温度センサによって検出された庫内温度を監視して、庫内温度が加熱開始温度まで低下すると前記加熱機の運転を開始し、庫内温度が前記加熱開始温度より高い加熱抑制温度まで上昇すると前記加熱機の運転を抑制する制御処理と、前記加熱機の運転率に基づいて前記加熱開始温度及び前記加熱抑制温度の少なくとも一方を変更する変更処理と、を実行する。
【００２２】
上記加熱装置によると、加熱機の運転率に基づいて加熱開始温度及び加熱抑制温度の少なくとも一方を変更するので、周囲の温度を検出する外気温度センサを備えることなく庫内平均温度と庫内設定温度との乖離を小さくすることができる。
【００２３】
また、本明細書によって開示される加熱装置は、庫内を加熱する加熱機と、庫内温度を検出する庫内温度センサと、制御部と、を備え、前記制御部は、前記庫内温度センサによって検出された庫内温度を監視して、庫内温度が加熱開始温度まで低下すると前記加熱機の運転を開始し、庫内温度が前記加熱開始温度より高い加熱抑制温度まで上昇すると前記加熱機の運転を抑制する制御処理と、前記庫内温度センサによって検出された庫内温度の平均値と庫内設定温度との差に基づいて前記加熱開始温度及び前記加熱抑制温度の少なくとも一方を変更する変更処理と、を実行する。
【００２４】
上記加熱装置によると、庫内温度の平均値と庫内設定温度との差に基づいて加熱開始温度及び加熱抑制温度の少なくとも一方を変更するので、周囲の温度を検出する外気温度センサを備えることなく庫内平均温度と庫内設定温度との乖離を小さくすることができる。
【００２５】
また、本明細書によって開示される加熱装置は、庫内を加熱する加熱機と、庫内温度を検出する庫内温度センサと、制御部と、を備え、前記制御部は、前記庫内温度センサによって検出された庫内温度を監視して、庫内温度が加熱開始温度まで低下すると前記加熱機の運転を開始し、庫内温度が前記加熱開始温度より高い加熱抑制温度まで上昇すると前記加熱機の運転を抑制する制御処理と、前記加熱機の運転率の変化幅、及び、前記庫内温度センサによって検出された庫内温度の平均値と庫内設定温度との差に基づいて、前記加熱開始温度及び前記加熱抑制温度の少なくとも一方を変更する変更処理と、を実行する。
【００２６】
上記加熱装置によると、加熱機の運転率の変化幅、及び、庫内温度センサによって検出された庫内温度の平均値と庫内設定温度との差に基づいて加熱開始温度及び加熱抑制温度の少なくとも一方を変更するので、加熱機の不安定な動作を抑制しつつ、加熱開始温度及び加熱抑制温度を変更するか否かを精度よく判断できる。
【発明の効果】
【００２７】
上記の冷却装置によると、庫内温度が冷却開始温度まで上昇すると冷却機の運転を開始し、庫内温度が冷却抑制温度まで低下すると冷却機の運転を抑制する冷却装置において、周囲の温度を検出する外気温度センサを備えることなく庫内平均温度と庫内設定温度との乖離を小さくすることができる。
【００２８】
また、上記の加熱装置によると、庫内温度が加熱開始温度まで低下すると加熱機の運転を開始し、庫内温度が加熱抑制温度まで上昇すると加熱機の運転を抑制する加熱装置において、周囲の温度を検出する外気温度センサを備えることなく庫内平均温度と庫内設定温度との乖離を小さくすることができる。
【図面の簡単な説明】
【００２９】
【図１】実施形態１に係るオープンショーケースの断面図。
【図２】オープンショーケースの電気的構成を示すブロック図。
【図３】通常環境における庫内温度の変化を示すグラフ。
【図４】過酷環境において冷却抑制温度を高くしていない場合の庫内温度の変化を示すグラフ。
【図５】過酷環境において冷却抑制温度を高くした場合の庫内温度の変化を示すグラフ。
【図６】冷却抑制温度変更処理を説明するための模式図。
【図７】実施形態２に係る通常環境における１サイクル中の庫内温度を示すグラフ。
【図８】過酷環境における１サイクル中の庫内温度を示すグラフ。
【図９】実施形態３に係る冷却抑制温度変更処理を説明するための模式図。
【発明を実施するための形態】
【００３０】
＜実施形態１＞
実施形態１を図１ないし図６によって説明する。
（１）オープンショーケースの構成
先ず、図１を参照して、実施形態１に係る冷却装置としてのオープンショーケース１の構成について説明する。以降の説明では図１において紙面左側をオープンショーケース１の前側、紙面右側を後側というものとする。
【００３１】
オープンショーケース１は、前側が開放されている冷却庫１０を構成する本体部１１と、本体部１１の下方に設けられている機械室１２とを備えている。本体部１１の内側には庫内底板１３、背面パネル１４、及び、庫内上板１５が設けられている。これらの板及びパネルと本体部１１とによって循環通気路１６が形成されている。また、背面パネル１４の前側には商品を陳列するための棚１７が上下方向に離間して複数取り付けられている。
【００３２】
本体部１１の底面と庫内底板１３との間には庫内ファン１８、蒸発器１９、及び、庫内温度センサ２０が設けられている。図１に示すように庫内温度センサ２０は庫内ファン１８と蒸発器１９との間に設けられている。
【００３３】
庫内底板１３の前側には庫内の空気を循環通気路１６内に吸い込むための吸込口２１が設けられている。また、庫内上板１５の前側には循環通気路１６内の空気を庫内に吹き出すための吹出口２２が設けられている。庫内ファン１８が回転すると庫内の空気が吸込口２１から循環通気路１６内に吸い込まれる。吸い込まれた空気は蒸発器１９によって冷却され、吹出口２２から庫内に吹き出される。
【００３４】
図１に示すように吹出口２２は吸込口２１に向かって空気を吹き出すように設けられており、吹出口２２から吸込口２１に向かって吹き出された空気によってエアカーテンが形成される。また、背面パネル１４には図示しない複数の穴が設けられており、循環通気路１６を流れる空気はその穴からも庫内に流入する。
【００３５】
機械室１２には圧縮機２３、凝縮器２５、凝縮器２５と蒸発器１９とを接続するキャピラリチューブ２４、凝縮器２５を冷却する凝縮器ファン２６などが設けられている。圧縮機２３、凝縮器２５、キャピラリチューブ２４、蒸発器１９、及び、凝縮器ファン２６は冷却機を構成している。
【００３６】
（２）オープンショーケースの電気的構成
次に、図２を参照して、オープンショーケース１の電気的構成について説明する。オープンショーケース１は制御部３０を備えている。制御部３０には前述した圧縮機２３、庫内ファン１８、庫内温度センサ２０、及び、凝縮器ファン２６が電気的に接続されている。
【００３７】
制御部３０はＣＰＵ３１、ＲＯＭ３２、ＲＡＭ３３などを備えて構成されている。ＣＰＵ３１はＲＯＭ３２に記憶されている制御プログラムを実行することによってオープンショーケース１の各部を制御する。ＲＯＭ３２には制御部３０によって実行される制御プログラムや制御に用いられる各種のデータなどが記憶されている。ＲＡＭ３３はＣＰＵ３１が各種の処理を実行するための主記憶装置として用いられる。
【００３８】
（３）温度制御処理
次に、図３を参照して、制御部３０によって実行される温度制御処理について説明する。温度制御処理は制御処理の一例である。ここで、オープンショーケース１は設置される環境の標準的な温度が予め想定されているものとする。そして、図３に示す例ではオープンショーケース１が設置されている環境の温度は上述した標準的な温度あるいはその周辺の温度であるものとする。以降の説明では上述した標準的な温度あるいはその周辺の温度のことを通常温度というものとし、オープンショーケース１の周囲の温度が通常温度である環境のことを通常環境というものとする。
【００３９】
制御部３０は庫内温度センサ２０によって検出される庫内温度を監視して、庫内温度が予め設定されている冷却開始温度まで上昇すると圧縮機２３の運転を開始する。圧縮機２３の運転を開始すると庫内温度が徐々に低下する。制御部３０は庫内温度が冷却開始温度より低い冷却抑制温度まで低下すると圧縮機２３の運転を停止する。圧縮機２３の運転を停止すると庫内温度が徐々に上昇する。この繰り返しによって庫内温度が冷却開始温度と冷却抑制温度との間に維持される。
【００４０】
ここで、圧縮機２３の運転を開始することは冷却機の運転を開始することの一例である。また、圧縮機２３の運転を停止することは冷却機の運転を抑制することの一例である。なお、圧縮機２３の運転を完全に停止するのではなく、冷却効果を下げて運転することによって圧縮機２３の運転を抑制してもよい。
【００４１】
上述した冷却開始温度及び冷却抑制温度は、通常環境において庫内温度の平均値（以下「庫内平均温度」という）と庫内設定温度とがほぼ一致するように実験などによって予め決定されたものである。このため通常環境の場合は上述した温度制御処理を行うことにより、図３に示すように庫内平均温度と庫内設定温度とがほぼ一致する。つまり、通常環境の場合は庫内平均温度と庫内設定温度との乖離は小さい。
【００４２】
（４）冷却抑制温度の変更
次に、図４を参照して、オープンショーケース１の周囲の温度が前述した通常温度より高い環境で上述した温度制御処理を行った場合の温度変化について説明する。以降の説明ではオープンショーケース１の周囲の温度が通常温度より高い環境のことを過酷環境というものとする。
【００４３】
図４に示すように、過酷環境では周囲の温度が高いことによって庫内温度が下がり難くなる。このため過酷環境では圧縮機２３の運転を開始してから庫内温度が冷却抑制温度まで低下するまでに長時間を要する。ただし、過酷環境では周囲の温度が高いので、圧縮機２３の運転を停止してから庫内温度が冷却開始温度に達するまでの時間については通常環境の場合（図３に示す場合）と大きく変わらない。
【００４４】
つまり、過酷環境では通常環境に比べて圧縮機２３の運転時間が長くなる一方、圧縮機２３の停止時間は通常環境と大きく変わらないので、通常環境に比べて圧縮機２３の運転率が高くなる。ここで運転率は以下の式１によって表されるものとする。
運転率＝運転時間／（運転時間＋停止時間）  ・・・  式１
【００４５】
圧縮機２３の運転率が高いと図４に示すように庫内平均温度が庫内設定温度よりも低下してしまう。つまり、圧縮機２３の運転率が高いと庫内平均温度と庫内設定温度との乖離が大きくなる。そこで、制御部３０は、庫内平均温度と庫内設定温度との乖離を小さくするために、圧縮機２３の運転率に基づいて冷却開始温度及び冷却抑制温度の少なくとも一方を変更する。具体的には、実施形態１に係る制御部３０は圧縮機２３の運転率が高くなると冷却抑制温度を高くする。
【００４６】
図５を参照して、冷却抑制温度を高くした場合の庫内温度の変化について説明する。図５に示すように、冷却抑制温度を高くすると、冷却抑制温度を高くしない場合（図４に示す場合）に比べて庫内温度が早い時点で冷却抑制温度まで低下する。庫内温度が早い時点で冷却抑制温度まで低下すると圧縮機２３の運転時間が短くなるので、圧縮機２３の運転率が低くなる。これにより、冷却抑制温度を高くしない場合に比べて庫内平均温度と庫内設定温度との乖離を小さくすることができる。
【００４７】
ここで、実施形態１では変更後の冷却抑制温度は予め固定で決定されているものとする。変更後の冷却抑制温度は適宜に決定することができるが、高くし過ぎると庫内平均温度が庫内設定温度を大きく超えてしまう虞があるため、冷却抑制温度を高くする前に比べて庫内平均温度と庫内設定温度との差が小さくなる温度であることが望ましい。
【００４８】
次に、図６を参照して、制御部３０によって実行される冷却抑制温度変更処理について説明する。冷却抑制温度変更処理は変更処理の一例である。以降の説明では通常環境で圧縮機２３を運転することを通常運転といい、過酷環境で圧縮機２３を運転することを過酷運転という。
【００４９】
制御部３０は１秒などの予め決められている時間が経過する毎に、その時を起点として過去の一定時間（図中のＴａ時間）における圧縮機２３の運転率が予め設定されている基準運転率以上であるか否かを判断する。そして、制御部３０は運転率が基準運転率以上である場合は冷却抑制温度を高くする。
【００５０】
例えば時点Ｔ１ではその時（時点Ｔ１）を起点として過去のＴａ時間以内に圧縮機２３が過酷運転されている期間が含まれているが、通常運転されている期間も含まれているため、時点Ｔ１では過去のＴａ時間における圧縮機２３の運転率はまだ基準運転率以上にはなっていないものとする。このため、制御部３０は時点Ｔ１ではまだ冷却抑制温度を高くしない。
【００５１】
そして、時点Ｔ２で初めて過去のＴａ時間における運転率が基準運転率以上になったとする。この場合、制御部３０は時点Ｔ２で冷却抑制温度を高くする。前述したように冷却抑制温度を高くすると圧縮機２３の運転時間が短くなるので、時点Ｔ２以降の過酷運転では時点Ｔ２より前の過酷運転に比べて圧縮機２３の運転時間が短くなる。
【００５２】
ところで、冷却抑制温度を高くしたままにすると周囲の環境が通常環境に戻ったときに逆に圧縮機２３の運転率が小さくなってしまい、庫内平均温度が庫内設定温度を大きく超えてしまう虞がある。このため、圧縮機２３の運転率が基準運転率未満になった場合は冷却抑制温度を元に戻すことが望ましい。
【００５３】
（５）実施形態の効果
以上説明した実施形態１に係るオープンショーケース１によると、圧縮機２３の運転率が基準運転率以上になると冷却抑制温度を高くするので、周囲の温度を検出する外気温度センサを備えることなく庫内平均温度と庫内設定温度との乖離を小さくすることができる。
【００５４】
また、周囲の温度を検出する外気温度センサを用いた場合は、外気温度センサの周囲のみ局部的に温度が変化するような条件では意図する効果が得られず、逆効果となってしまう虞がある。これに対し、オープンショーケース１によると、外気温度センサを用いないので、意図する効果をより確実に得ることができる。
【００５５】
また、冷却抑制温度を高くすると蒸発器１９を低温で運転する時間が短くなるので、オープンショーケース１のように霜付し易い冷却装置の場合には霜付の抑制にも有効である。また、蒸発器１９に付着した霜を溶かす除霜運転では圧縮機２３を停止させる必要があるので庫内温度が上がり易い。上述したように冷却抑制温度を高くすると霜付が抑制されるので、除霜運転の回数を抑制することができる。これにより、除霜運転によって庫内温度が上がってしまうことを抑制することもできる。
【００５６】
＜実施形態２＞
次に、実施形態２を図７ないし図８によって説明する。
前述した実施形態１に係る制御部３０は圧縮機２３の運転率に基づいて冷却開始温度及び冷却抑制温度の少なくとも一方を変更する。これに対し、実施形態２に係る制御部３０は、庫内温度センサ２０によって検出された庫内温度の平均値と庫内設定温度との差に基づいて冷却開始温度及び冷却抑制温度の少なくとも一方を変更する。
【００５７】
（１）冷却抑制温度の変更
図７及び図８を参照して、通常環境において１サイクル中に検出される庫内温度、及び、過酷環境において１サイクル中に検出される庫内温度について説明する。ここで１サイクルとは、圧縮機２３の運転を開始してから運転を停止し、その後に運転を開始するまでの期間をいう。
【００５８】
図７に示すように通常環境では１サイクル中に検出される庫内温度の平均値は庫内設定温度とほぼ同じになる。これに対し、図８に示すように過酷環境では通常環境に比べて圧縮機２３の運転時間が長くなるので、１サイクル中に検出される庫内温度の平均値は庫内設定温度より低くなる。つまり、過酷環境では庫内平均温度と庫内設定温度との乖離が大きくなる。
【００５９】
そこで、制御部３０は、庫内温度センサ２０によって検出される庫内温度を例えば１秒などの予め決められている時間間隔で監視し、１サイクルが完了する毎にその１サイクル中に検出された庫内温度の平均値を算出する。そして、制御部３０は算出した平均値が庫内設定温度に対して基準値（例えば１℃）以上低くなると冷却抑制温度を高くする。ここで、実施形態２でも変更後の冷却抑制温度は予め固定で決定されているものとする。
【００６０】
ところで、冷却抑制温度を高くしたままにすると周囲の環境が通常環境に戻ったときに逆に運転率が小さくなってしまい、庫内平均温度が庫内設定温度より高くなってしまう虞がある。このため、１サイクル中の庫内温度の平均値と庫内設定温度との差が基準値未満に戻った場合は冷却抑制温度を元に戻すことが望ましい。
【００６１】
（２）実施形態の効果
以上説明した実施形態２に係るオープンショーケースによると、庫内温度センサ２０によって検出された庫内温度の平均値が庫内設定温度に対して基準値以上低くなると冷却抑制温度を高くするので、周囲の温度を検出する外気温度センサを備えることなく庫内平均温度と庫内設定温度との乖離を小さくすることができる。
【００６２】
＜実施形態３＞
次に、実施形態３を図９によって説明する。
圧縮機２３の運転率は必ずしも庫内温度の平均値と精度よく対応しているとは限らない。このため冷却抑制温度を高くするか否かを運転率だけから判断すると、庫内温度の平均値と庫内設定温度との差が小さいにもかかわらず冷却抑制温度を高くしたり、庫内温度の平均値と庫内設定温度との差が大きいにもかかわらず冷却抑制温度を高くしなかったりするといったことが起こらないとはいえない。
【００６３】
これに対し、庫内温度センサ２０によって検出された庫内温度の平均値は実際の庫内温度の平均値を表しているので、庫内温度の平均値と庫内設定温度との差に基づいて冷却抑制温度を高くするようにすると、庫内温度の平均値と庫内設定温度との差が小さいにもかかわらず冷却抑制温度を高くしたり、庫内温度の平均値と庫内設定温度との差が大きいにもかかわらず冷却抑制温度を高くしなかったりするといったことが起こり難い。つまり、冷却抑制温度を高くするか否かを精度よく判断できる。
【００６４】
しかしながら、庫内温度は周囲の温度などの外的要因に影響され易いので、運転率が大きく変化しない範囲で庫内温度の平均値と庫内設定温度との差が一時的に大きくなることもあり得る。その場合にも冷却抑制温度を高くすると冷却装置の動作が不安定になりかねない。
【００６５】
そこで、実施形態３に係る制御部３０は、圧縮機２３の運転率の変化幅、及び、庫内温度センサ２０によって検出された庫内温度の平均値と庫内設定温度との差に基づいて、冷却開始温度及び冷却抑制温度の少なくとも一方を変更する。具体的には、実施形態３に係る制御部３０は、圧縮機２３の運転率の変化幅が第１の基準値以上であり、且つ、庫内温度の平均値が庫内設定温度に対して第２の基準値以上低い場合に冷却抑制温度を高くする。
【００６６】
（１）運転率の変化
図９を参照して、運転率の変化について説明する。制御部３０は１サイクルが完了する毎に、過去の直近の３サイクルのうち運転率が最も大きいサイクルの運転率と運転率が最も小さいサイクルの運転率との差が第１の基準値（例えば１０％）以上であるか否かを判断し、第１の基準値以上である場合は運転率が変化したと判断する。最も大きい運転率と最も小さい運転率との差は変化幅の一例である。
【００６７】
例えば図９においてサイクルＣが完了した時点を例に説明すると、過去の直近の３サイクルはサイクルＡ、サイクルＢ、サイクルＣである。ここではサイクルＣの運転率が最も大きく、サイクルＡの運転率が最も小さいものとする。また、サイクルＣの運転率は７０％であり、サイクルＡの運転率は５０％であったとする。この場合、最も大きい運転率と最も小さい運転率との差は２０％（＝７０％−５０％）であるので、制御部３０は運転率が変化したと判断することになる。
【００６８】
（２）冷却抑制温度の変更
制御部３０は、運転率が変化したと判断した場合は、過去の直近の３サイクルのうち最後の１サイクル中の庫内温度の平均値が庫内設定温度に対して第２の基準値（例えば１℃）以上低いか否かを判断する。そして、制御部３０は第２の基準値以上低いと判断した場合に冷却抑制温度を高くする。
【００６９】
ところで、運転率は周囲の環境が通常環境から過酷環境に変化したときのみでなく、過酷環境から通常環境に変化したときにも変化する。その場合は最後の１サイクルは通常環境での運転になるため１サイクル中の庫内温度の平均値と庫内設定温度との差は第２の基準値未満となる。冷却抑制温度を高くしたままにすると通常環境に戻ったときに逆に運転率が小さくなってしまい、庫内平均温度が庫内設定温度より高くなってしまう虞があるので、運転率が変化した場合に最後の１サイクル中の庫内温度の平均値と庫内設定温度との差が第２の基準値未満である場合は冷却抑制温度を元に戻すことが望ましい。
【００７０】
（３）冷却抑制温度の補正値
実施形態３に係る制御部３０は、冷却抑制温度を変更するとき、変更後の冷却抑制温度を、庫内温度センサ２０によって検出された庫内温度の平均値と庫内設定温度との差に基づいて決定する。具体的には、実施形態３に係る制御部３０は、冷却抑制温度を変更するとき、以下の式２によって補正値を算出する。そして、制御部３０は算出した補正値を基準の冷却抑制温度に加算することによって変更後の冷却抑制温度を決定する。
補正値＝（庫内設定温度−最後の１サイクルにおける庫内平均温度）／２  ・・・  式２
【００７１】
（４）実施形態の効果
以上説明した実施形態３に係るオープンショーケースによると、圧縮機２３の運転率の変化幅が第１の基準値以上であり、且つ、庫内温度センサ２０によって検出された庫内温度の平均値が庫内設定温度に対して第２の基準値以上低い場合に冷却抑制温度を高くするので、圧縮機２３の不安定な動作を抑制しつつ、冷却抑制温度を高くするか否かを精度よく判断できる。
【００７２】
更に、実施形態３に係るオープンショーケースによると、変更後の冷却抑制温度を、庫内温度センサ２０によって検出された庫内温度の平均値と庫内設定温度との差に基づいて決定するので、変更後の冷却抑制温度が固定で決定されている場合に比べ、庫内平均温度と庫内設定温度との差を小さくすることができる可能性が高くなる。
【００７３】
＜実施形態４＞
次に、実施形態４を説明する。
実施形態４は実施形態１の変形例である。前述した実施形態１に係るオープンショーケースは庫内を冷却するものであるが、実施形態４に係るオープンショーケースは庫内を加熱するものである。実施形態４に係るオープンショーケースの構成は冷却機に替えて加熱機を備えている点を除いて実施形態１に係るオープンショーケースと実質的に同じ構成である。実施形態４に係るオープンショーケースは加熱装置の一例である。
【００７４】
実施形態４に係る制御部３０は、庫内温度が加熱開始温度まで低下すると加熱機の運転を開始し、庫内温度が加熱抑制温度まで上昇すると加熱機の運転を停止する。加熱装置の場合は周囲の温度が低くなると庫内温度が上がり難くなるため加熱機が運転されている時間が長くなる。加熱機が運転されている時間が長くなると加熱機の運転率が高くなる。加熱機の運転率が高くなると庫内平均温度が庫内設定温度よりも大きく上昇してしまう。
【００７５】
そこで、実施形態４に係る制御部３０は、加熱機の運転率が基準運転率以上になると、庫内平均温度と庫内設定温度との乖離が大きくならないようにするために加熱抑制温度を低くする。加熱抑制温度を低くすると加熱機の運転時間が短くなるので加熱機の運転率が低くなる。加熱機の運転率が低くなると庫内温度が低下する。これにより、庫内平均温度と庫内設定温度との乖離を小さくすることができる。
【００７６】
以上説明した実施形態４に係るオープンショーケースによると、加熱機の運転率が基準運転率以上になると加熱抑制温度を低くするので、周囲の温度を検出する外気温度センサを備えることなく庫内平均温度と庫内設定温度との乖離を小さくすることができる。
【００７７】
＜実施形態５＞
次に、実施形態５を説明する。
実施形態５は実施形態２の変形例である。前述した実施形態２に係るオープンショーケースは庫内を冷却するものであるが、実施形態５に係るオープンショーケースは庫内を加熱するものである。実施形態５に係るオープンショーケースの構成は冷却機に替えて加熱機を備えている点を除いて実施形態２に係るオープンショーケースと実質的に同じ構成である。実施形態５に係るオープンショーケースは加熱装置の一例である。
【００７８】
実施形態５に係る制御部３０は、庫内温度が加熱開始温度まで低下すると加熱機の運転を開始し、庫内温度が加熱抑制温度まで上昇すると加熱機の運転を停止する。加熱装置の場合は周囲の温度が低くなると庫内温度が上がり難くなるため加熱機が運転されている時間が長くなる。加熱機が運転されている時間が長くなると庫内平均温度が庫内設定温度よりも大きく上昇してしまう。
【００７９】
そこで、実施形態５に係る制御部３０は、庫内温度センサ２０によって検出された庫内温度の平均値が庫内設定温度に対して基準値（例えば１℃）以上高くなると、庫内平均温度と庫内設定温度との乖離が大きくならないようにするために加熱抑制温度を低くする。
【００８０】
以上説明した実施形態５に係るオープンショーケースによると、庫内温度センサ２０によって検出された庫内温度の平均値が庫内設定温度に対して基準値以上高くなると加熱抑制温度を低くするので、周囲の温度を検出する外気温度センサを備えることなく庫内平均温度と庫内設定温度との乖離を小さくすることができる。
【００８１】
＜実施形態６＞
次に、実施形態６を説明する。
実施形態６は実施形態３の変形例である。前述した実施形態３に係るオープンショーケースは庫内を冷却するものであるが、実施形態６に係るオープンショーケースは庫内を加熱するものである。実施形態６に係るオープンショーケースの構成は冷却機に替えて加熱機を備えている点を除いて実施形態３に係るオープンショーケースと実質的に同じ構成である。実施形態６に係るオープンショーケースは加熱装置の一例である。
【００８２】
実施形態６に係る制御部３０は、庫内温度が加熱開始温度まで低下すると加熱機の運転を開始し、庫内温度が加熱抑制温度まで上昇すると加熱機の運転を停止する。そして、実施形態６に係る制御部３０は、加熱機の運転率の変化幅が第１の基準値以上であり、且つ、庫内温度センサ２０によって検出された庫内温度の平均値が庫内設定温度に対して第２の基準値以上高い場合に加熱抑制温度を低くする。
【００８３】
以上説明した実施形態６に係るオープンショーケースによると、加熱機の運転率の変化幅が第１の基準値以上であり、且つ、庫内温度センサ２０によって検出された庫内温度の平均値が庫内設定温度に対して第２の基準値以上高い場合に加熱抑制温度を低くするので、加熱機の不安定な動作を抑制しつつ、加熱抑制温度を低くするか否かを精度よく判断できる。
【００８４】
更に、実施形態６に係るオープンショーケースによると、変更後の加熱抑制温度を、庫内温度センサ２０によって検出された庫内温度の平均値と庫内設定温度との差に基づいて決定するので、変更後の加熱抑制温度が固定で決定されている場合に比べ、庫内平均温度と庫内設定温度との差を小さくすることができる可能性が高くなる。
【００８５】
＜他の実施形態＞
上記記述及び図面によって説明した実施形態に限定されるものではなく、例えば次のような実施形態も技術的範囲に含まれる。
【００８６】
（１）上記実施形態１では過去の一定時間Ｔａにおける冷却機の運転率が予め設定されている基準運転率以上である場合に冷却抑制温度を高くする場合を例に説明した。これに対し、１サイクルが完了する毎に過去の直近の３サイクルにおける平均運転率が基準運転率以上であるか否かを判断し、基準運転率以上である場合に冷却抑制温度を高くするようにしてもよい。なお、過去の直近の３サイクルは一例であり、例えば過去の直近の１サイクルの運転率であってもよい。実施形態４についても同様である。
【００８７】
（２）上記実施形態１及び２では冷却抑制温度を高くするとき変更後の冷却抑制温度が予め固定で決定されている場合を例に説明した。これに対し、実施形態１及び２においても実施形態３と同様に式２によって算出される補正値を基準の冷却抑制温度に加算した温度を変更後の冷却抑制温度としてもよい。実施形態４及び実施形態５についても同様である。
【００８８】
（３）上記実施形態１では冷却装置の周囲の温度が高い場合（冷却機の運転率が高い場合）は冷却抑制温度を高くする例を説明した。これに替えて、あるいはこれに加えて、冷却装置の周囲の温度が高い場合は冷却開始温度を高くしてもよい。冷却装置の場合は冷却開始温度を高くすると冷却機の停止時間が長くなるので冷却機の運転率が低くなる。冷却機の運転率が低くなると庫内温度の平均値が高くなる。これにより庫内平均温度と庫内設定温度との乖離を小さくすることができる。ここでは実施形態１を例に説明したが、実施形態２及び３についても同様である。
【００８９】
（４）上記実施形態１では冷却装置の周囲の温度が高い場合（冷却機の運転率が高い場合）は冷却抑制温度を高くする例を説明した。これに替えて、あるいはこれに加えて、冷却装置の周囲の温度が低い場合（冷却機の運転率が低い場合）は冷却抑制温度を低くするようにしてもよい。冷却装置の周囲の温度が低いと庫内温度が下がり易いため冷却機の運転時間が短くなる。冷却機の運転時間が短くなると冷却機の運転率が低くなる。冷却機の運転率が低くなると庫内温度の平均値が高くなる。この場合、冷却抑制温度を低くすると冷却機の運転時間が長くなるので冷却機の運転率が高くなる。冷却機の運転率が高くなると庫内温度の平均値が低くなる。これにより庫内平均温度と庫内設定温度との乖離を小さくすることができる。
【００９０】
また、冷却装置の周囲の温度が低い場合は、冷却抑制温度を低くするのではなく、冷却開始温度を低くしてもよい。冷却開始温度を低くすると冷却機の停止時間が短くなるので冷却機の運転率が高くなる。冷却機の運転率が高くなると庫内温度の平均値が低くなる。これにより庫内平均温度と庫内設定温度との乖離を小さくすることができる。
ここでは実施形態１を例に説明したが、実施形態２及び３についても同様である。
【００９１】
（５）上記実施形態４では加熱装置の周囲の温度が低い場合（加熱機の運転率が高い場合）は加熱抑制温度を低くする場合を例に説明した。これに替えて、あるいはこれに加えて、加熱装置の周囲の温度が低い場合は加熱開始温度を低くしてもよい。加熱装置の場合は加熱開始温度を低くすると加熱機の停止時間が長くなるので加熱機の運転率が低くなる。加熱機の運転率が低くなると庫内温度の平均値が低くなる。これにより庫内平均温度と庫内設定温度との乖離を小さくすることができる。ここでは実施形態４を例に説明したが、実施形態５及び６についても同様である。
【００９２】
（６）上記実施形態４では加熱装置の周囲の温度が低い場合（加熱機の運転率が高い場合）は加熱抑制温度を低くする例を説明した。これに替えて、あるいはこれに加えて、加熱装置の周囲の温度が高い場合（加熱機の運転率が低い場合）は加熱抑制温度を高くするようにしてもよい。加熱装置の周囲の温度が高いと庫内温度が上がり易いため加熱機の運転時間が短くなる。加熱機の運転時間が短くなると加熱機の運転率が低くなる。加熱機の運転率が低くなると庫内温度の平均値が低くなる。この場合、加熱抑制温度を高くすると加熱機の運転時間が長くなるので加熱機の運転率が高くなる。加熱機の運転率が高くなると庫内温度の平均値が高くなる。これにより庫内平均温度と庫内設定温度との乖離を小さくすることができる。
【００９３】
また、加熱装置の周囲の温度が高い場合は、加熱抑制温度を高くするのではなく、加熱開始温度を高くしてもよい。加熱開始温度を高くすると加熱機の停止時間が短くなるので加熱機の運転率が高くなる。加熱機の運転率が高くなると庫内温度の平均値が高くなる。これにより庫内平均温度と庫内設定温度との乖離を小さくすることができる。
ここでは実施形態４を例に説明したが、実施形態５及び６についても同様である。
【００９４】
（７）上記実施形態１〜３では冷却装置として庫内を冷却するオープンショーケースを例に説明した。しかしながら、冷却装置は庫内を冷却するものであればよく、オープンショーケースに限られない。例えば冷却装置は冷蔵庫であってもよいし、冷凍庫であってもよい。
【００９５】
また、冷蔵庫などの扉を有する冷却装置の場合は、冷却開始温度あるいは冷却抑制温度を変更するか否かを、扉の開閉頻度も考慮して判断してもよい。
【００９６】
（８）上記実施形態４〜６では加熱装置として庫内を加熱するオープンショーケースを例に説明した。しかしながら、加熱装置は庫内を加熱するものであればよく、オープンショーケースに限られない。例えば加熱装置はオーブンであってもよいし、フライヤーであってもよい。
【００９７】
また、オーブンなどの扉を有する加熱装置の場合は、加熱開始温度あるいは加熱抑制温度を変更するか否かを、扉の開閉頻度も考慮して判断してもよい。
【００９８】
（９）上記実施形態では制御部３０がＣＰＵ３１を備えている場合を例に説明した。これに対し、制御部３０はＣＰＵ３１に替えてＦＰＧＡ（Ｆｉｅｌｄ  Ｐｒｏｇｒａｍｍａｂｌｅ  Ｇａｔｅ  Ａｒｒａｙ）を備えていてもよい。また、制御部３０はＡＳＩＣによって構成されてもよい。
【符号の説明】
【００９９】
１・・・オープンショーケース、１０・・・冷却庫、２０・・・庫内温度センサ、２３・・・圧縮機、２４・・・キャピラリチューブ、２５・・・冷却ファン、２５・・・凝縮器、３０・・・制御部
【図１】
2015218965.tif 000003
【図２】
2015218965.tif 000004
【図３】
2015218965.tif 000005
【図４】
2015218965.tif 000006
【図５】
2015218965.tif 000007
【図６】
2015218965.tif 000008
【図７】
2015218965.tif 000009
【図８】
2015218965.tif 000010
【図９】
2015218965.tif 000011